(57)【要約】【課題】バスケットボールの練習時や試合時に用いる手部分を保温するためのハンドウォーマーであって、手首部分の固定具により他人や本人を傷付けることなく、着用により指先に違和感を与えることなく、保温、臭い並びに抗菌性が改良されたハンドウォーマーを提供する。【解決手段】手首部分に嵌合して被覆固定する手首被覆固定部と、手甲全面のみを被覆する手甲被覆部と、該手甲被覆部の手のヒラ側内縁部に親指、人指指及び小指に嵌合して３ポイント固定する指嵌合用ループを有するハンドウォーマーであって、手甲被覆部の手のヒラ側に、特殊気密起毛加工および特殊チタンコーティング加工を施したチタニウム含有素材を積層してなることを特徴とするハンドウォーマー。【選択図】図１
0003131086.tif 000002
【実用新案登録請求の範囲】
【請求項１】
手首部分に嵌合して被覆固定する手首被覆固定部と、手甲全面のみを被覆する手甲被覆部と、該手甲被覆部の手のヒラ側内縁部に親指、人指し指及び小指に嵌合して３ポイント固定する指嵌合用ループを有するハンドウォーマーであって、手甲被覆部の手のヒラ側に、特殊気密起毛加工および特殊チタンコーティング加工を施したチタニウム含有素材を積層してなることを特徴とするハンドウォーマー。
【考案の詳細な説明】
【技術分野】
【０００１】
本考案は、バスケットボールなどの球技の際に用いる手を保温するためのハンドウォーマーに関し、特に、手のヒラ側に特殊気密起毛加工および特殊チタンコーティング加工を施したチタニウム含有素材を積層してなるハンドウォーマーに関する。
【背景技術】
【０００２】
従来のバスケットボールの練習や試合に際して、手先が冷えているとボールの取り扱いが思うようにいかず、ボールパス、シュートなどにおいてミスすることが多々あり、手の甲を覆って保温するハンドウォーマーが用いられていた。
しかしながら、これらのハンドウォーマーでは、通常の手袋の如く手首被覆部分に面ファスナーやホック等の固定具を用いて固定すると固定部分の一端が表面に出て来てしまい、極めて激しく身体などが接触するバスケットボールにおいては該手首被覆部分の固定部により敵方や味方のみならず本人自身を傷付けてしまう恐れがあった。
また、指嵌合部も手の５本指全てに嵌合する５ポイント固定であったので、指先の微妙なタッチが要求されるバスケットボールにおいては、指先の感触に違和感を与えることがあった。
さらに、従来のハンドウォーマーにおいては、手甲被覆部分は通常の編織物や不織布が用いられており、保温や汗による臭いの抑制、抗菌性が要望されていた。
【考案の開示】
【考案が解決しようとする課題】
【０００３】
本考案は、バスケットボールの練習時や試合時に用いる手部分を保温するためのハンドウォーマーであって、手首部分の固定具により他人や本人を傷付けることなく、着用により指先に違和感を与えることなく、保温、臭い並びに抗菌性が改良されたハンドウォーマーを提供するものである。
【課題を解決するための手段】
【０００４】
上記課題を解決するために、本考案者は鋭意検討を重ねた結果、手首に該ハンドウォーマーを固定するのに手首に嵌合して被覆固定する手首被覆固定部と、手甲部を被覆する手甲被覆部と、５指の内の３指に嵌合して３ポイント固定し、更に手甲部の手のヒラ側に特殊加工を施したチタニウム含有素材を積層することにより、上記課題を解決し得ることを見い出し、本考案を完成するに到った。
即ち、本考案は、手首部分に嵌合して被覆固定する手首被覆固定部と、手甲全面のみを被覆する手甲被覆部と、該手甲被覆部の手のヒラ側内縁部に親指、人指指及び小指に嵌合して３ポイント固定する指嵌合用ループを有するハンドウォーマーであって、手甲被覆部の手のヒラ側に、特殊気密起毛加工および特殊チタンコーティング加工を施したチタニウム含有素材を積層してなることを特徴とするハンドウォーマー、である。
そして、本考案のハンドウォーマーは、当然のことながら両手に用いるのが好ましく、左右一対の組物として用いるのが好ましい。
【考案の効果】
【０００５】
本考案によれば、手首部分の固定具により他人や本人を傷付けることなく、着用により指先の感触に違和感を与えることなく、手甲の保護、保温、臭い並びに抗菌性が改良されたハンドウォーマー、を提供することができた。
【考案を実施するための最良の形態】
【０００６】
以下に、本考案を、具体的に説明する。なお、図には右手用のみについて説明しているが、本考案のハンドウォーマーは、両手に用いるのが好ましく、左右一対の組物として用いるのが好ましい。
図１に本考案のハンドウォーマーの概略図を示す。図１の（Ａ）は手のヒラ側であり、（Ｂ）は手の甲側である。
【０００７】
図１の（１）は、手首部分に嵌合して被覆固定する手首被覆固定部であり、伸縮自在の織物で構成されており、具体的には環状のゴム編物と称せられるリブ編物である。該手首被覆固定部は、環状のリブ編物であることが必要であり、通常の手袋などに用いられている面ファスナーやホック等の固定具を用いると、敵味方のメンバーを傷付けたり、自分自身を傷付けてしまうので好ましくない。
図１の（２）は、手甲全面のみを被覆する手甲被覆部であり、上記環状のリブ編物に結合しており、手甲の保護、保温等に寄与するものであり、具体的には編織物、不織布などの布帛で形成されている。手触りの良さ、手甲の保護、保温の面から、布帛としてはフリース編物であることが好ましい。
【０００８】
図１の（３）該手甲被覆部の手のヒラ側内縁部に親指、人指指及び小指に嵌合して３ポイント固定する指嵌合用ループであり、指に嵌合して固定することから、該ループは伸縮性を有するゴム紐などで形成するのが好ましい。通常の手甲においては、５本の指に全て嵌合し得るループを設けて５ポイントループとするのが通常であり、また、３ポイントループであっても通常は、親指、中指、小指に嵌合するのが、手の甲に均等に固定し得るので好ましいのであるが、本考案のハンドウォーマーは、特にバスケットボールの練習時や試合時に用いるものであるから、指先の微妙な感覚を損なわないものが必要であり、特に３ポイントループであっても、親指、人指指、小指に嵌合するループであって、中指、薬指をフリーにしておくことによりボールタッチをより自然に行えるようにしている。
【０００９】
図１の（４）は、手甲被覆部の手のヒラ側に積層してなる特殊気密起毛加工および特殊チタンコーティング加工を施したチタニウム含有素材である。
該特殊加工を施したチタニウム含有素材としては、例えば、（有）ライト社のホットカプセル（登録商標）が挙げられる。該素材は、ナイロン８３％とポリウレタン１７％とから構成され、従来の素材に比較して、特殊気密加工、特殊チタンコーティング加工を施すことにより飛躍的に保熱、保温、蓄熱、抗菌、防臭機能を向上させた素材であり、特殊気密起毛加工（ホットカプセル効果）により、温熱、保温、蓄熱の効果を得、特殊チタンコーティング加工が、蒸れた臭い、大腸菌及び雑菌の増殖を抑制する効果、即ち抗菌効果を奏するものである。また、該素材は抜群の伸縮性を有するものであることから、より高いフィット感を得ることができるものである。
図１の（５）は縁取り布帛であり、該縁取り布帛により、指嵌合用ループをしっかりと固定している。該布帛としては、伸縮性を有する布帛であることが好ましく、例えば、ポリウレタン繊維を含有するスバンデックス（登録商標）が好ましく用いられる。
【図面の簡単な説明】
【００１０】
【図１】本発明のハンドウォーマーの概略図である。（Ａ）：手のヒラ側、（Ｂ）：手の甲側
【図２】本発明のハンドウォーマーの装着時の概略図である。（Ａ）：手のヒラ側、（Ｂ）：手の甲側
【符号の説明】
【００１１】
１  手首被覆固定部
２  手甲被覆部
３  指嵌合用ループ
４  チタニウム含有素材
５  縁取り布帛
【図１】
0003131086.tif 000003
【図２】
0003131086.tif 000004